(57)【要約】      （修正有）【課題】ユーザが実行不可能な機能を選択できると共に、選択された実行不可能な機能を用いて画像形成処理を予約することができる表示制御装置の提供。【解決手段】タッチパネルは、画像形成装置１０１が有する複数の機能を表示し、その中から任意の機能を指定する。判断部３ａは、複数の機能それぞれが実行可能か否かを判断する。画面情報生成部３ｂは、実行不可能な機能と実行可能な機能とを、識別可能にタッチパネルに表示させる。予約部３ｃは、タッチパネルに表示した機能の中から実行不可能な機能が指定された場合、指定された機能を用いて実行される画像形成処理を予約する。監視部３ｄは、予約された画像形成処理において用いられる機能が、実行可能な状態に移行したか否かを監視する。処理制御部３ｅは、予約された画像形成処理において用いられる機能が実行可能な状態となった場合、予約された画像形成処理の実行開始を指示する。【選択図】図１
2007232988.tif 000002
【特許請求の範囲】
【請求項１】
画像形成装置が有する複数の機能を表示する表示手段と、前記表示手段により表示された前記複数の機能の中から任意の機能を指定する指定手段と、に接続された表示制御装置であって、
前記複数の機能について、それぞれ実行可能か否かを判断する判断手段と、
前記判断手段により判断された実行可能な機能と、前記複数の機能から前記実行可能な機能を除いた実行不可能な機能とを、識別可能に前記表示手段に表示させるための画面情報を生成し、前記表示手段に出力する画面情報生成手段と、
前記画面情報に基づいて前記表示手段が表示した前記実行不可能な機能のうち少なくとも１つが前記指定手段により指定された場合、前記指定された前記実行不可能な機能を用いて実行される画像形成処理を予約する予約手段と、
前記予約手段により予約された画像形成処理において用いられる機能が、実行可能な状態に移行したか否かを監視する監視手段と、
前記予約手段により予約された画像形成処理において用いられる機能が実行可能な状態となった場合、前記予約された画像形成処理の実行開始を指示する処理制御手段と、
を含む、表示制御装置。
【請求項２】
前記指定された前記実行不可能な機能を用いて実行される画像形成処理の情報を予約処理情報として記憶している記憶手段を更に含み、
前記予約手段は、前記予約処理情報を前記記憶手段に記憶させる、請求項１に記載の表示制御装置。
【請求項３】
複数の機能を実行可能な画像形成装置であって、
請求項１または２に記載の表示制御装置と、
前記表示制御装置により生成された前記画面情報に基づいて、前記実行可能な機能と前記実行不可能な機能とを識別可能に表示する表示手段と、
前記表示手段により表示された前記実行可能な機能及び前記実行不可能な機能の中から任意の機能を指定する指定手段と、
前記画像形成処理の実行開始の指示に基づいて、前記指定手段により指定された機能を用いて前記画像形成を実行する画像形成部と、
を含む、画像形成装置。
【請求項４】
請求項１または２に記載の表示制御装置と、前記表示制御装置により生成された前記画面情報に基づいて、前記実行可能な機能と前記実行不可能な機能とを識別可能に表示する表示手段と、前記表示手段により表示された前記実行可能な機能及び前記実行不可能な機能の中から任意の機能を指定する指定手段と、を含む１以上の端末と、
前記１以上の端末と通信ネットワークを介して接続され、前記１以上の端末から出力される画像データに基づいて画像形成を行うと共に、前記１以上の端末からの前記画像形成処理の実行開始の指示により、前記指定手段により指定された機能を用いて前記画像形成を実行する画像形成部を含む画像形成装置と、
を備えた、画像形成システム。
【発明の詳細な説明】
【技術分野】
【０００１】
本発明は、表示制御装置、特に、画像形成装置が有する複数の機能を表示する表示手段と、表示手段により表示された複数の機能の中から任意の機能を指定する指定手段と、に接続された表示制御装置に関する。
【背景技術】
【０００２】
近年の画像形成装置は、多くの画像形成の機能を備えている。画像形成の機能としては、例えば縮小コピーや拡大コピーを行うズームコピー機能や原稿を両面コピーする両面コピー機能等が挙げられる。
【０００３】
このような機能を実現するために、画像形成装置は多くの部品及びユニットを搭載している。画像形成装置が搭載している部品やユニットの数が多い程実現可能な機能の数も多くなるため、特許文献１では、搭載されている部品及びユニットの組み合わせに応じて実現可能となる機能を表示する画像形成装置が開示されている。
【０００４】
また、特許文献１以外に関連する従来の技術として、例えば、画像形成装置が備える多くの機能のうち組み合わせて設定することができない機能において、一方の機能が設定されると他方の機能を選択できない状態に表示したり（特許文献２）、現在他の画像形成処理を行っているため直ぐには実行できない画像形成処理を予約したりするものが（特許文献３〜５）、既に提案されている。
【特許文献１】第２６０５３０５号公報
【特許文献２】第２５１８０３２号公報
【特許文献３】特開２００２−４４３３６号公報
【特許文献４】特開２００４−１０１５７２号公報
【特許文献５】特開２００４−１０９９３５号公報
【発明の開示】
【発明が解決しようとする課題】
【０００５】
ところで、画像形成装置が搭載している部品及びユニットのうち、任意の機能を実現させるために必須の部品及びユニットに故障等の不具合が生じていると、画像形成装置はその機能を用いて画像形成を行うことができなくなってしまう。
【０００６】
このような場合には、ユーザが画像形成処理の設定を行う際、実行可能な機能と区別できるように、部品及びユニットの不具合により実行不可能な機能を例えば色づけ等して画面に表示すると共に、実行不可能な機能を選択できない状態に表示する方法や、実行不可能な機能を選択できる状態で表示させた場合に実行不可能な機能が選択されると、この機能が使えない旨をユーザに促すための警告画面を表示し、この機能の選択を自動的に解除する方法等が用いられている。
【０００７】
しかし、上述したいずれの方法においても、表示された実行不可能な機能を設定することができない。従って、ユーザの所望する機能が実行不可能な場合、ユーザは、この機能を用いて実行される画像形成処理を画像形成装置に行わせることができない。
【０００８】
そこで、本発明は、実行不可能な機能を選択可能に表示させると共に、実行不可能な機能がユーザにより選択された場合、この機能を用いて実行される画像形成処理を予約することができる表示制御装置を提供することを目的とする。
【課題を解決するための手段】
【０００９】
前記課題を解決するために、発明１は、画像形成装置が有する複数の機能を表示する表示手段と、表示手段により表示された前記複数の機能の中から任意の機能を指定する指定手段とに接続され、以下の手段を有する表示制御装置を提供する。
◎複数の機能について、それぞれ実行可能か否かを判断する判断手段
◎前記判断手段により判断された実行可能な機能と、前記複数の機能から前記実行可能な機能を除いた実行不可能な機能とを、識別可能に前記表示手段に表示させるための画面情報を生成し、前記表示手段に出力する画面情報生成手段
◎前記画面情報に基づいて前記表示手段が表示した前記実行不可能な機能のうち少なくとも１つが前記指定手段により指定された場合、前記指定された前記実行不可能な機能を用いて実行される画像形成処理を予約する予約手段
◎前記予約手段により予約された画像形成処理において用いられる機能が、実行可能な状態に移行したか否かを監視する監視手段
◎前記予約手段により予約された画像形成処理において用いられる機能が実行可能な状態となった場合、前記予約された画像形成処理の実行開始を指示する処理制御手段。
【００１０】
例えば、反転ユニットに不具合が生じている場合、表示制御装置は、反転ユニットが使用できない状態にあることから両面印刷機能が実行不可能であると判断し、両面印刷機能が実行不可能な状態にあると表示する。この状態で両面印刷機能が指定されると、表示制御装置は、両面印刷機能を用いて実行される画像形成処理を自動的に予約し、反転ユニットの不具合が解消された場合には画像形成装置において画像形成処理が実行される。これにより、ユーザは反転ユニットの不具合が解消し両面印刷機能が実行可能となった時に、再度両面印刷の実行を指示せずに済む。従って、ユーザの利便性が向上する。
【００１１】
発明２は、前記発明１において、前記指定された前記実行不可能な機能を用いて実行される画像形成処理の情報を予約処理情報として記憶している記憶手段を更に含み、前記予約手段は、前記予約処理情報を前記記憶手段に記憶させる表示制御装置を提供する。
【００１２】
記憶手段には、例えばＨＤＤ等の記憶装置が適用される。この表示制御装置は、記憶手段に不具合が生じない限り、実行不可能な機能を用いて実行される画像形成処理を予約しておくことができる。従って、予約された画像形成処理で用いられる機能が長時間に渡り実行不可能な状態であっても、その機能が実行可能となった後、予約された画像形成処理は確実に実行される。
【００１３】
また前記課題を解決するために、発明３は、複数の機能を実行可能であって、以下を含む画像形成装置を提供する。
◎発明１または２に記載の表示制御装置
◎前記表示制御装置により生成された前記画面情報に基づいて、前記実行可能な機能と前記実行不可能な機能とを識別可能に表示する表示手段
◎前記表示手段により表示された前記実行可能な機能及び前記実行不可能な機能の中から任意の機能を指定する指定手段
◎前記画像形成処理の実行開始の指示に基づいて、前記指定手段により指定された機能を用いて前記画像形成を実行する画像形成部。
【００１４】
この画像形成装置としては、例えば複写機やスキャナ機能、プリンタ、ファクシミリ装置等の各機能を併せ持つ複合機が挙げられる。このように画像形成装置は、発明１または２の表示制御装置を採用することで、発明１または２と同様の効果を奏することができる。
【００１５】
また前記課題を解決するために、発明４は、以下を備えた画像形成システムを提供する。
◎発明１または２に記載の表示制御装置と、前記表示制御装置により生成された前記画面情報に基づいて、前記実行可能な機能と前記実行不可能な機能とを識別可能に表示する表示手段と、前記表示手段により表示された前記実行可能な機能及び前記実行不可能な機能の中から任意の機能を指定する指定手段と、を含む１以上の端末
◎前記１以上の端末と通信ネットワークを介して接続され、前記１以上の端末から出力される画像データに基づいて画像形成を行うと共に、前記１以上の端末からの前記画像形成処理の実行開始の指示により、前記指定手段により指定された機能を用いて前記画像形成を実行する画像形成部を含む画像形成装置。
【００１６】
この画像形成システムにおいて用いられる端末は、例えばパソコン等のコンピュータであって、画像形成装置はコンピュータに接続されたプリンタであるとする。このように、画像形成システムでは、端末中に発明１または２の表示制御装置を採用することで、発明１または２と同様の効果を奏することができる。
【発明の効果】
【００１７】
本発明の表示制御装置によると、実行不可能な機能を用いて実行される画像形成処理は自動的に予約され、予約された画像形成処理で用いられる画像形成装置の機能が実行可能となった場合にこの画像形成処理が実行される。そのため、ユーザが行う画像形成処理の設定は１回で済む。従って、ユーザの利便性が向上する。
【発明を実施するための最良の形態】
【００１８】
＜実施形態＞
図１は、本実施形態に係る表示制御装置１が採用された画像形成装置１０１の構成を模式的に示すブロック図である。以下より、画像形成装置１０１の構成について説明する。
【００１９】
（１）画像形成装置の構成
図２〜図３は、それぞれ画像形成装置１０１の外観図及び縦断面図である。この画像形成装置１０１は、複写機、プリンタ、ファクシミリ装置及びスキャナ装置としての機能を併せ持つ複合機の機種であって、取得した画像データに基づいて画像形成処理を実行する。画像形成装置１０１は、原稿カバー１０３、本体部１０４、操作パネル１０５、手差しトレイ１０６、給紙カセット１０７及び排紙トレイ１０８を備えている。
【００２０】
原稿カバー１０３と対向する本体部１０４の部分には、原稿載置台１０２が設置されている。原稿カバー１０３は、原稿載置台１０２に載置された原稿を押さえるものであって、原稿載置台１０２に対して開閉自在に本体部１０４に装着されている。
【００２１】
本体部１０４は、搬送路１１１、画像形成部１１２、転写部１１５、定着部１１６、排出部１１７、反転ユニット１１８、センサ１１４ａ〜１１６ａ，１１８ａ、制御部３及び原稿読取部（図示せず）を含む。原稿読取部は、原稿に記録された画像情報を読み取って画像データを取得するためのものであって、図示しない光学系を有している。原稿読取部が取得した画像データは、記憶部２（後述）に一時的に記憶される。
【００２２】
搬送路１１１は、記録紙が搬送される通路であり、適且箇所にローラ及びその駆動部が配置されている。
【００２３】
画像形成部１１２は、搬送路１１１上を搬送される記録紙に対し画像形成を行うためのものであり、表面にトナー像が形成される感光体ドラム１１３、その周囲に配置された帯電器、露光器（いづれも図示せず）及び現像器１１４を有している。
【００２４】
転写部１１５は、搬送路１１１を挟んで感光体ドラム１１３と対向する位置であって、感光体ドラム１１３の表面に形成されたトナー像を給紙カセット１０７、手差しトレイ１０６または反転ユニット１１８から送られてきた記録紙に転写する。
【００２５】
定着部１１６は、２つの加熱ローラが搬送路１１１を挟む形で配置されている。定着部１１６は、記録紙に転写されたトナー像を所定の定着温度で溶融定着させる。
【００２６】
排出部１１７は、トナー像が定着された記録紙及び原稿を外部に排出するためのものであって、外部の排紙トレイ１０８と接続されている。
【００２７】
反転ユニット１１８は、両面印刷が行われる際に記録紙を反転させるためのものであって、搬送路１１１及び排出部１１７に接続されている。
【００２８】
センサ１１４ａ〜１１６ａ，１１８ａは、現像器１１４、転写部１１５、定着部１１６及び反転ユニット１１８それぞれの近傍に配置されており、各部品またはユニットの故障等の不具合を検知する。尚、“部品”とは、例えばスキャナ部に用いられるＣＣＤセンサやランプ等を言い、“ユニット”とは、現像器１１４や反転ユニット１１８等を言う。
【００２９】
制御部３は、ＣＰＵを含むコンピュータで構成されており、図１に示すように操作パネル１０５や現像器１１４、転写部１１５、定着部１１６、反転ユニット１１８、センサ１１４ａ〜１１６ａ，１１８ａ及びその他の入出部と接続され、画像形成部１１２等の入出力部の動作の制御や画像処理、表示制御装置１（後述）の制御等を行う。その他の入出部には、給紙カセット６や排出部７等が含まれる。尚、ＣＰＵに実行されるための種々のプログラムは、記憶部２に記憶されている。
【００３０】
操作パネル１０５は、図２に示すように本体部１０４において原稿載置台１０２の手前側部分に設けられ、操作キー１５１及びタッチパネル１５２（指定手段及び表示手段に相当）を有している。操作キー１５１は、印刷等の画像形成処理の開始を指示するためのスタートキーや、各種設定のための設定キー及びテンキー等を有している。タッチパネル１５２は、液晶ディスプレイで構成されており、ユーザは、タッチパネル１５２に触れることで各種条件の設定等を行うことができる。また、タッチパネル１５２は、表示制御装置１から出力された画面情報に基づいて表示を行う。図４は、タッチパネル１５２が、表示制御装置１から出力された画面情報に基づいて、画像形成装置１０１が有する複数の機能を選択可能に一画面に表示した機能リストの例である。図４では、“両面”及び“集約”の機能が現在実行不可能な状態であることを示すために、この２つの機能のボタンは他機能のボタンと異なる色で表示されている。
【００３１】
手差しトレイ１０６は、搬送路１１１の上流側に、本体部１０４の側部に側方に突出して開閉自在に設けられた板状部材であり、記録紙及び原稿を載置可能である。
【００３２】
給紙カセット１０７は、記録紙を収納可能であって、本体部１０４の下方に２段で設けられている。
【００３３】
排紙トレイ１０８は、手差しトレイ１０６と対向する画像形成装置１０１の側面に側方に突出して設けられた板状部材であって、排出部１１７により排出された記録紙及び原稿が積載される。
【００３４】
（２）表示制御装置の構成
次に、本実施形態に係る表示制御装置１の構成について説明する。表示制御装置１は、記憶部２及び制御部３を含む。
【００３５】
記憶部２は、ＨＤＤやＲＯＭ及びＲＡＭの半導体メモリ等の記憶装置からなり、制御部３と接続されている。半導体メモリには画像形成部１１２等の入出力部の動作の制御や画像処理等を制御部３が実行するためのプログラムが記憶され、ＨＤＤには原稿読取部が取得した画像データと共に、ユーザによりタッチパネル１５２を介して指定された実行不可能な機能を用いて実行される画像形成処理の情報（予約処理情報に相当）を含む予約処理リスト２ａが記憶されている。図５は、記憶部２であるＨＤＤが記憶している予約処理リスト２ａの概念図を示す。図５の予約処理リスト２ａには、処理コードと、画像形成処理の内容と、その画像形成処理において用いられる画像データとが、１レコードとして記憶されている。
【００３６】
制御部３は、センサ１１４ａ〜１１６ａ，１１８ａの検知結果から実行可能な機能と実行不可能な機能とを判別し、これらの機能を識別可能にタッチパネル１５２に表示させる。実行不可能な機能が指定された場合、制御部３は、この機能を用いて実行される画像形成処理を自動的に予約し、この機能の復旧後にこの機能を用いて実行される画像形成処理を画像形成部１１２に実行させる。上記制御を行うため、制御部３は、判断部３ａ、画面情報生成部３ｂ、予約部３ｃ、監視部３ｄ及び処理制御部３ｅとして機能する。以下より、制御部３の各機能について説明する。
【００３７】
（２−１）判断部
判断部３ａは、センサ１１４ａ〜１１６ａ，１１８ａが検知した結果に基づいて、画像形成装置１０１が搭載している複数の機能について、それぞれ実行可能か否かを判断する。例えば、センサ１１８ａが反転ユニット１１８の不具合を検知した場合、判断部３ａは、反転ユニット１１８を用いて実行される機能“両面印刷”を、実行不可能な機能として判断する。
【００３８】
（２−２）画面情報生成部
画面情報生成部３ｂは、タッチパネル１５２に表示させるための画面情報を生成してタッチパネル１５２に出力する。具体的には、画像情報生成部３ｂは、判断部３ａにより判断された実行可能な機能と、画像形成装置１０１の複数の機能から実行可能な機能を除いた実行不可能な機能とを、識別可能にタッチパネル１５２に表示させるための画面情報を生成し、タッチパネル１５２に出力する。尚、識別可能に表示させる方法としては、例えば異なる色または模様による表示や、これらの表示と併せた音の有無等が挙げられる。
【００３９】
また、画面情報生成部３ｂは、予約部３ｃ（後述）により画像形成処理が予約された場合、これをユーザに知らせるための画面情報を生成して出力する。
【００４０】
（２−３）予約部
画面情報生成部３ｂの出力した画面情報に基づいて実行可能な機能と実行不可能な機能とが識別可能にタッチパネル１５２に表示された後、タッチパネル１５２を介して実行不可能な機能が指定された場合、予約部３ｃは、指定された実行不可能な機能を用いて実行される画像形成処理を記憶部２の予約処理リスト２ａに記憶させることで予約する。
【００４１】
（２−４）監視部
監視部３ｄは、予約処理リスト２ａに記憶されている各画像形成処理において用いられる機能が、故障した部品及びユニットが交換や修理される等して実行可能な状態に移行したか否かを監視する。例えば、予約処理リスト２ａの“両面印刷処理”において用いられる“反転ユニット１１８”の不具合を検知するセンサ１１８ａの出力が、不具合を示す信号から不具合がないことを示す信号へと変化すると、監視部３ｄは、“両面印刷機能”が実行可能な状態に移行したと判断する。
【００４２】
（２−５）処理制御部
予約処理リスト２ａに記憶されている画像形成処理で用いられる機能が実行可能な状態へ移行したと監視部３ｄが判断した場合、処理制御部３ｅは、その画像形成処理の実行開始を示す信号及び画像形成処理で用いられる画像データを、画像形成部１１２へ出力する。
【００４３】
（３）表示制御装置の動作
次に、本実施形態の表示制御装置１の動作について、図６を用いて説明する。
【００４４】
ステップＳ１〜３：タッチパネル１５２を介して機能リスト画面が指定された場合、センサ１１４ａ〜１１６ａ，１１８ａは、画像形成装置１０１の各部品及びユニットに不具合が生じているか否かを検知する。判断部３ａは、この各センサの検知結果から、画像形成装置１０１の複数の機能それぞれが実行可能か否かを判断する。
【００４５】
ステップＳ４：画面情報生成部３ｂは、実行可能な機能と実行不可能な機能とを、識別可能にタッチパネル１５２に表示させるための画面情報を生成してタッチパネル１５２に出力する。タッチパネル１５２は、この画面情報に基づいて、実行可能な機能と実行不可能な機能とを識別可能な機能リスト画面を表示する。
【００４６】
ステップＳ５〜７：タッチパネル１５２が表示している機能リスト画面から、実行不可能な機能を含む１以上の機能が選択され、スタートキーが押下された場合、予約部３ｃは、選択された機能を用いて実行される画像形成処理を、その画像形成処理で用いられる画像データに対応づけて記憶部２の予約処理リスト２ａ内に記憶させる。そして、画面情報生成部３ｂは、指定された機能を用いて実行される画像形成処理を予約したことをユーザに通知するため、図７に示すような画面情報を生成しタッチパネル１５２に出力する。タッチパネル１５２はこれを表示する。尚、ステップＳ５において、実行可能な機能のみが選択されスタートキーが押下された場合は、予約動作が行われることなくその機能を用いた画像形成処理が画像形成装置１０１により行われる。
【００４７】
ステップＳ８：監視部３ｄは、各センサ１１４ａ〜１１６ａ，１１８ａの検知結果に基づいて、予約処理リスト２ａ内の画像形成処理で用いられる機能を実現するために必須の部品及びユニットの不具合が解消されたか否かを監視する。該当する部品及びユニットの不具合が解消された場合、監視部３ｄは、その部品及びユニットを用いて実行される機能が実行可能な状態に移行したと判断し、処理制御部３ｅは、その機能を用いて実行される画像形成処理の開始指示及び予約処理リスト２ａ内の画像データを画像形成装置１０１の画像形成部１１２に出力する。出力後、処理制御部３ｅは、出力した画像形成処理に関する処理コード、画像形成処理の内容及び画像データを予約処理リスト２ａから消去する。
【００４８】
ステップＳ１０：画像形成装置１０１の画像形成部１１２は、画像形成処理の開始指示及び画像データに基づいて、画像形成動作を行う。
【００４９】
（４）効果
表示制御装置１は、画像形成装置１０１内の各部品及びユニットの不具合を検知すると、この部品及びユニットにより実現される機能が実行不可能であると判断し、この機能が実行不可能な状態にあると分かるように表示する。そして、実行不可能な機能がユーザにより選択された場合、表示制御装置１は、この機能を用いて実行される画像形成処理を自動的に記憶部２に記憶させ、部品及びユニットの不具合が解消するとこの部品及びユニットを必須として実現される機能が実行可能となったと判断するため、この画像形成処理は画像形成装置１０１により実行される。これにより、記憶部２に不具合が生じない限り、実行不可能な機能を用いて実行される画像形成処理は予約される。また、ユーザは、部品及びユニットの不具合が解消され機能が実行可能となった時に、再度機能の設定及び画像形成処理の開始指示を行わずともよい。従って、ユーザの利便性が向上する。
【００５０】
＜その他の実施形態＞
（ａ）図６のステップＳ８における監視部がセンサを監視する頻度については、特に限定されない。例えば、監視部はセンサを所定時間毎に監視することができる。
【００５１】
（ｂ）上記実施形態では、画像形成処理を予約したことをユーザに通知するために、図７の画面をタッチパネルに表示させるとしたが、これは必須ではなく、表示せずともよい。
【００５２】
（ｃ）上記実施形態の表示制御装置は、機能を実行するために必須の部品及びユニットに不具合が生じている場合にその機能が実行不可能であると判断したが、その他の条件により機能が実行不可能であると判断してもよい。例えば、現像器にカラートナーの量を検知するセンサを設けておけば、カラートナーがない場合には、表示制御装置はカラー印刷が実行不可能であると判断することができる。
【００５３】
（ｄ）上記実施形態では、表示制御装置が複写機に採用された場合について記したが、表示制御装置は、プリンタとネットワークを介して接続された１以上のＰＣ等のコンピュータ（端末に相当）等に採用されてもよい。
【００５４】
図８は画像システム２０１の構成図である。図８の画像システム２０１は、２台のＰＣ２０２ａ，２０２ｂと１台のプリンタ２０３とを含み、それぞれ通信ネットワーク２０４を介して接続されている。
【００５５】
各ＰＣ２０２ａ，２０２ｂは、上記実施形態に係る表示制御装置と、モニタ等の表示装置と、マウスやキーボード等の指定装置を含む。図９は、各ＰＣ２０２ａ，２０２ｂの表示装置が、表示制御装置により生成された画面情報に基づいて、実行可能な機能と実行不可能な機能とを識別可能に表示した画面例である。色がついている機能“両面／製本”は、実行不可能な機能を示している。この画面上の各機能は、指定部により指定される。
【００５６】
プリンタ２０３は、ＰＣ２０２ａ，２０２ｂから取得した画像データ及び画像形成処理の実行開始の指示に基づいて画像形成処理を行う画像形成部を含む。
【００５７】
以下に、画像システム２０１の動作について簡単に説明する。ＰＣ２０２ａ，２０２ｂが図９の画面情報を生成し表示装置に表示した後、ユーザにより指定装置を介して実行不可能な機能“両面／製本”が指定され“ＯＫ”ボタンが押下されると、ＰＣ２０２ａ，２０２ｂは、“両面／製本”を用いて実行される画像形成処理を記憶し、“両面／製本”の機能が実行可能へ移行したか否かの監視を開始する。ＰＣ２０２ａ，２０２ｂは、“両面／製本”の機能が実行可能な状態に移行したと判断すると、この機能を用いて実行される画像形成処理の実行開始の指示及び画像データをプリンタ２０３に送信する。プリンタ２０３は、画像形成処理の実行開始の指示及び画像データを受信すると、“両面／製本”機能を用いて画像形成動作を行う。
【産業上の利用可能性】
【００５８】
本発明の表示制御装置は、例えば複写機、プリンタ及びファクシミリ装置の各機種や、これらの機能を併せ持つ複合機等の画像形成装置において、実行不可能な機能と実行可能な機能とを識別可能に表示し、実行不可能な機能が選択された場合はこれを用いて実行される画像形成処理を予約する装置として適用できる。
【図面の簡単な説明】
【００５９】
【図１】本実施形態の画像形成装置の構成を模式的に示すブロック図。
【図２】画像形成装置の外観図。
【図３】図２の画像形成装置の内部構成を示す縦断面図。
【図４】タッチパネルが表示する機能リストの画面例。
【図５】記憶部が記憶している予約処理リストの概念図。
【図６】表示制御部装置の動作フローチャート。
【図７】予約が完了した時の画面例。
【図８】画像形成システムの構成図。
【図９】図７のＰＣが表示する画面例。
【符号の説明】
【００６０】
１  表示制御装置
１０１  画像形成装置
１０４  本体部
１１２  画像形成部
１１８  反転ユニット
【図１】
2007232988.tif 000003
【図２】
2007232988.tif 000004
【図３】
2007232988.tif 000005
【図４】
2007232988.tif 000006
【図５】
2007232988.tif 000007
【図６】
2007232988.tif 000008
【図７】
2007232988.tif 000009
【図８】
2007232988.tif 000010
【図９】
2007232988.tif 000011